(57)【要約】【課題】質問器へ高速でデータ通信が可能な通信システムの応答器を実現する。【解決手段】応答器２０は、アンテナ６１と、当該アンテナ６１に直列に接続されたインピーダンス変調回路６０とから構成されている。このアンテナ６１のインピーダンスはＺａであり、インピーダンス変調回路６０のインピーダンスは、入力されるデータｄに応じて所定のインピーダンスがＺｌ（ｄ）が設定されるようになっている。ここで、反射電界の強度は｜１／（Ｚａ＋Ｚｌ（ｄ））｜に比例するので、等振幅曲線上に変調シンボルを３つ以上配置されるようにＺｌ（ｄ）を選ぶ。そうすれば、１シンボルで３以上の状態を伝えることができるので伝送容量の拡大になる。また、エラー検出情報を付加することにより、データの信頼度を上げることができる。【選択図】　図４
2004140615.tif 000002
【特許請求の範囲】
【請求項１】
質問器から主搬送波を送信して、当該主搬送波を受信した応答器が当該主搬送波に対して所定の変調を行った反射波を質問器に返信する通信システムの応答器であって、
前記応答器は、
前記質問器から送信された主搬送波を受信し反射するための主搬送波受信反射手段と、
前記主搬送波受信反射手段が受信した主搬送波を反射する際の反射波を所定の情報信号により変調する主搬送波変調手段と
を備え、
前記主搬送波変調手段は、反射電界の位相を３値以上に制御することをことを特徴とする通信システムの応答器。
【請求項２】
質問器から主搬送波を送信して、当該主搬送波を受信した応答器が当該主搬送波に対して所定の変調を行った反射波を質問器に返信する通信システムの応答器であって、
前記応答器は、
前記質問器から送信された主搬送波を受信し反射するための主搬送波受信反射手段と、
前記主搬送波受信反射手段が受信した主搬送波を反射する際の反射波を所定の情報信号により変調する主搬送波変調手段と
を備え、
前記主搬送波変調手段は、反射電界の振幅がほぼ等しく、かつ位相を３値以上に制御することを特徴とする請求項１に記載の通信システムの応答器。
【請求項３】
質問器から主搬送波を送信して、当該主搬送波を受信した応答器が当該主搬送波に対して所定の変調を行った反射波を質問器に返信する通信システムの応答器であって、
前記応答器は、
前記質問器から送信された主搬送波を受信し反射するための主搬送波受信反射手段と、
前記主搬送波受信反射手段が受信した主搬送波を反射する際の反射波を所定の情報信号により変調する主搬送波変調手段と
を備え、
前記主搬送波変調手段は、反射電界において複数の変調シンボルに対応した位相がほぼ等しく、振幅が異なる状態を発生させることを特徴とする通信システムの応答器。
【請求項４】
前記応答器は、アンテナと複数のスイッチング素子を含み、アンテナ入力インピーダンスとアンテナ給電点から負荷側を見たインピーダンスとを合成した合成インピーダンスのリアクタンス成分が、前記スイッチング素子により３値以上設定可能であることを特徴とする請求項１又は２に記載の通信システムの応答器。
【請求項５】
前記応答器は、アンテナと複数のスイッチング素子を含み、アンテナ入力インピーダンスとアンテナ給電点から負荷側を見たインピーダンスとを合成した合成インピーダンスの抵抗成分とリアクタンス成分の比がほぼ等しくなる値を前記スイッチング素子により複数設定可能であることを特徴とする請求項３に記載の通信システムの応答器。
【請求項６】
所定数のビットを誤り検出又は誤り訂正用として割り当てたことを特徴とする請求項１乃至５の何れかに記載の通信システムの応答器。
【発明の詳細な説明】
【０００１】
【発明の属する技術分野】
本発明は、質問器から主搬送波を送信して、当該主搬送波を受信した応答器が当該主搬送波に対して所定の変調を行った反射波を質問器に返信する通信システムの応答器に関する。
【０００２】
【従来の技術】
従来、質問器から複数の応答器へ主搬送波を送って、応答器がその主搬送波を応答器ＩＤなどの所定の情報信号や情報信号で変調される副搬送波で変調して反射する無線通信システムが知られている（例えば、特許文献１参照）。
【０００３】
【特許文献１】
特開２０００−４９６５６号公報
【０００４】
【発明が解決しようとする課題】
しかしながら、従来は、応答器の主搬送波反射回路のインピーダンスや位相を変化させて情報を反射波に乗せる場合には、２値で変調してデータを送っていたので、高速なデータ通信ができないという問題点があった。
【０００５】
本発明は、上述した問題点を解決するためになされたものであり、質問器へ高速でデータ通信が可能な通信システムの応答器を実現することを目的とする。
【０００６】
【課題を解決するための手段】
この目的を達成するために、請求項１に記載の通信システムの応答器は、質問器から主搬送波を送信して、当該主搬送波を受信した応答器が当該主搬送波に対して所定の変調を行った反射波を質問器に返信する通信システムの応答器であって、前記応答器は、前記質問器から送信された主搬送波を受信し反射するための主搬送波受信反射手段と、前記主搬送波受信反射手段が受信した主搬送波を反射する際の反射波を所定の情報信号により変調する主搬送波変調手段とを備え、前記主搬送波変調手段は、反射電界の位相を３値以上に制御することをことを特徴とする構成となっている。
【０００７】
この構成の通信システムの応答器では、主搬送波受信反射手段が質問器から送信された主搬送波を受信し反射し、主搬送波変調手段は、主搬送波受信反射手段が受信した主搬送波を反射する際の反射波を所定の情報信号により変調し、主搬送波変調手段は、反射電界の位相を３値以上に制御する。
【０００８】
また、請求項２に記載の通信システムの応答器は、請求項１に記載の発明の構成に加えて、質問器から主搬送波を送信して、当該主搬送波を受信した応答器が当該主搬送波に対して所定の変調を行った反射波を質問器に返信する通信システムの応答器であって、前記応答器は、前記質問器から送信された主搬送波を受信し反射するための主搬送波受信反射手段と、前記主搬送波受信反射手段が受信した主搬送波を反射する際の反射波を所定の情報信号により変調する主搬送波変調手段とを備え、前記主搬送波変調手段は、反射電界の振幅がほぼ等しく、かつ位相を３値以上に制御することを特徴とする。
【０００９】
この構成の通信システムの応答器では、請求項１に記載の発明の作用に加えて、応答器の波受信反射手段は、質問器から送信された主搬送波を受信し反射し、主搬送波変調手段は、主搬送波受信反射手段が受信した主搬送波を反射する際の反射波を所定の情報信号により変調し、主搬送波変調手段は、反射電界の振幅がほぼ等しく、かつ位相を３値以上に制御する。
【００１０】
また、請求項３に記載の通信システムの応答器は、質問器から主搬送波を送信して、当該主搬送波を受信した応答器が当該主搬送波に対して所定の変調を行った反射波を質問器に返信する通信システムの応答器であって、前記応答器は、前記質問器から送信された主搬送波を受信し反射するための主搬送波受信反射手段と、前記主搬送波受信反射手段が受信した主搬送波を反射する際の反射波を所定の情報信号により変調する主搬送波変調手段とを備え、前記主搬送波変調手段は、反射電界において複数の変調シンボルに対応した位相がほぼ等しく、振幅が異なる状態を発生させることを特徴とする。
【００１１】
この構成の通信システムの応答器では、前記応答器の主搬送波受信反射手段は、質問器から送信された主搬送波を受信し反射し、主搬送波変調手段は、主搬送波受信反射手段が受信した主搬送波を反射する際の反射波を所定の情報信号により変調し、主搬送波変調手段は、反射電界において複数の変調シンボルに対応した位相がほぼ等しく、振幅が異なる状態を発生させる。
【００１２】
また、請求項４に記載の通信システムにおける応答器は、請求項１又は２に記載の発明の構成に加えて、前記応答器は、アンテナと複数のスイッチング素子を含み、アンテナ入力インピーダンスとアンテナ給電点から負荷側を見たインピーダンスとを合成した合成インピーダンスのリアクタンス成分が、前記スイッチング素子により３値以上設定可能であることを特徴とする。
【００１３】
この構成の通信システムにおける応答器は、請求項１又は２に記載の発明の作用に加えて、応答器は、アンテナと複数のスイッチング素子を含み、アンテナ入力インピーダンスとアンテナ給電点から負荷側を見たインピーダンスとを合成した合成インピーダンスのリアクタンス成分が、スイッチング素子により３値以上設定可能である。
【００１４】
また、請求項５に記載の通信システムにおける応答器は、請求項３に記載の発明の構成に加えて、前記応答器は、アンテナと複数のスイッチング素子を含み、アンテナ入力インピーダンスとアンテナ給電点から負荷側を見たインピーダンスとを合成した合成インピーダンスの抵抗成分とリアクタンス成分の比がほぼ等しくなる値を前記スイッチング素子により複数設定可能であることを特徴とする。
【００１５】
この構成の通信システムにおける応答器は、請求項３に記載の発明の作用に加えて、応答器は、アンテナと複数のスイッチング素子を含み、アンテナ入力インピーダンスとアンテナ給電点から負荷側を見たインピーダンスとを合成した合成インピーダンスの抵抗成分とリアクタンス成分の比がほぼ等しくなる値をスイッチング素子により複数設定可能となる。
【００１６】
また、請求項６に記載の通信システムにおける応答器は、請求項１乃至５の何れかに記載の発明の構成に加えて、所定数のビットを検出又は誤り訂正用として割り当てたことを特徴とする。
【００１７】
この構成の通信システムにおける応答器は、請求項１乃至５の何れかに記載の発明の作用に加えて、所定数のビットを検出又は誤り訂正用として割り当てられている。
【００１８】
【発明の実施の形態】
以下、本発明の通信システムを具体化した一実施形態について図面を参照して説明する。図１は、通信システム１の構成の一例を示す図であり、図２は、通信システム１で使用される主搬送波と反射波の関係を示す図である。
【００１９】
図１に示すように、通信システム１は、一例として、質問器１０と応答器２０，２１，２２とから構成されている。質問器１０からは、主搬送波ＦＣ１が送信され、主搬送波ＦＣ１は応答器２０〜２２に照射されている。応答器２０からは、反射波ｆ１が返送され、応答器２１からは、反射波ｆ２が返送され、応答器２２からは、反射波ｆ３が返送されている。
【００２０】
各応答器２０〜２２は、受信した主搬送波ＦＣ１を情報信号（データ）により、１次変調した副搬送波（サブキャリア）信号ｆｓ１〜ｆｓ３で、２次変調し反射波ｆ１〜ｆ３が返送される。具体的には、図２に示すように、副搬送波信号の周波数は応答器毎に異なって、周波数ホッピングされている。ＦＣ１＋ｆｓ１，ＦＣ１＋ｆｓ２，ＦＣ１＋ｆｓ３の側波帯信号が、質問器１０の受信帯域内に存在するが、周波数ホッピングしているので、これらが互いに衝突する確率は非常に小さいので、質問器１０は、各応答器２０，２１，２２からの情報信号の情報信号を取り出すことができる。
【００２１】
次に、質問器１０の電気的構成を図３を参照して説明する。図３は、質問器１０の電気的構成を示すブロック図である。図３に示すように、質問器１０は、復調回路３０とアナログ回路部４０とから構成され、アナログ回路部４０は、９００ＭＨｚ、２．４ＧＨｚ、５ＧＨｚ等の周波数の主搬送波を発振する発振器４１と、必要に応じて、当該質問器のＩＤやホッピングタイミングあるいはホッピングパターン等をＡＳＫ変調で、発振器４１で発振された主搬送波を変調する変調器４２と、当該変調器４２で変調された主搬送波を電力増幅する電力増幅器４３と、当該電力増幅器４３からの出力をアンテナ４７に伝え、また、当該アンテナ４７が受信した電波を後述する低雑音増幅器（以下、「ＬＮＡ」と称す。）４５に伝えるように出力と入力の分離を行うサーキュレータ４４と、前記アンテナ４７が受信した応答器からの受信信号を増幅するＬＮＡ４５とから構成されている。
【００２２】
また、復調回路３０は、前記ＬＮＡ４５からの出力からデータを復調するものであり、回路の詳細は後述する。尚、質問器１０には、質問器１０全体の制御を司るコントローラ３１が設けられており、復調回路３０で復調されたデータ信号はコントローラ３１に入力されている。
【００２３】
次に、図４及び図５、図１４を参照して、応答器２０の第１の実施例を説明する。図４は、応答器２０のブロック図であり、図５は、アンテナにダイポールアンテナを用いた時の反射電界の等振幅曲線である。同様に図６は反射電界の等位相曲線をあらわしている。図４に示すように、応答器２０は、アンテナ６１と、当該アンテナ６１に直列に接続されたインピーダンス変調回路６０とから構成されている。このアンテナ６１のインピーダンスはＺａであり、インピーダンス変調回路６０のインピーダンスは、入力されるデータｄに応じて所定のインピーダンスがＺｌ（ｄ）が設定されるようになっている。
【００２４】
ここで、反射電界の強度は｜１／（Ｚａ＋Ｚｌ（ｄ））｜に比例するので、図１４に示すように等振幅曲線上に変調シンボルを３つ以上配置されるようにＺｌ（ｄ）を選ぶ。そうすれば、１シンボルで３以上の状態を伝えることができるので伝送容量の拡大になる。また、エラー検出情報或いはエラー訂正情報を付加することにより、データの信頼度をあげることができる。
【００２５】
次に、図４及び図６、図１５を参照して、応答器２０の第２の実施例を説明する。図６は、反射電界の等位相線を示す図である。図４に示すように、応答器２０は、アンテナ６１と、当該アンテナ６１に直列に接続されたインピーダンス変調回路６０とから構成されている。このアンテナ６１のインピーダンスはＺａであり、インピーダンス変調回路６０のインピーダンスは、入力されるデータｄに応じて所定のインピーダンスＺｌ（ｄ）が設定されるようになっている。
【００２６】
ここで、反射電界の位相はＤ｛１／（Ｚａ＋Ｚｌ（ｄ））｝に比例するので、図１５に示すように等位相線上に変調シンボルを２つ以上配置されるようにＺｌ（ｄ）を選ぶ。さらに別の等位相線上に変調シンボルを１つ以上配置し、合計で３シンボル以上配置する。そうすれば、１シンボルで３以上の状態を伝えることができるので、従来に比べ伝送容量の拡大になる。また、エラー検出情報或いはエラー訂正情報を付加することにより、データの信頼度をあげることができる。
【００２７】
次に、図７を参照して、応答器２０の具体的回路構成を説明する。図７は、応答器２０の回路図である。応答器２０は、インピーダンスＺａのアンテナ６１と、当該アンテナ６１に接続されたインピーダンス変調回路６０とから構成されており、インピーダンス変調回路６０は、インピーダンス回路６２，６３，６４から構成されている。また、インピーダンス回路６２は、図示外のコイルＬと抵抗ＲとコンデンサＣとから構成されインピーダンスＺ１を有するインピーダンス回路６２ａと、インピーダンス回路６２ａとアース間に接続されたダイオードスイッチ６２ｃと、インピーダンス回路６２ａとダイオードスイッチ６２ｃとの接続部に接続された抵抗６２ｂとから構成されている。
【００２８】
また、インピーダンス回路６３は、インピーダンス回路６２と同様に、図示外のコイルＬと抵抗ＲとコンデンサＣとから構成されインピーダンスＺ２を有するインピーダンス回路６３ａと、インピーダンス回路６３ａとアース間に接続されたダイオードスイッチ６３ｃと、インピーダンス回路６３ａとダイオードスイッチ６３ｃとの接続部に接続された抵抗６３ｂとから構成されている。
【００２９】
また、インピーダンス回路６４は、インピーダンス回路６２，６３と同様に、図示外のコイルＬと抵抗ＲとコンデンサＣとから構成されインピーダンスＺ３を有するインピーダンス回路６４ａと、インピーダンス回路６４ａとアース間に接続されたダイオードスイッチ６４ｃと、インピーダンス回路６４ａとダイオードスイッチ６４ｃとの接続部に接続された抵抗６４ｂとから構成されている。尚、インピーダンスＺ１〜Ｚ３は、各々異なっている。
【００３０】
上記のように構成された応答器２０では、ダイオードスイッチ６２ｃ〜６４ｃの何れかを択一的にオンにすることによって、インピーダンス変調回路６０としてのインピーダンスを３段階に変化させることができる。尚、Ｚ１、Ｚ２、Ｚ３を前述した図４、図５、図１４の説明のように適正に設定することで図１４に示したような多値伝送を実現できる。
【００３１】
次に、図８を参照して、応答器２０の回路の第１の変形例を説明する。図８は、応答器２０の第１の変形例の回路図である。応答器２０は、インピーダンスＺａのアンテナ６１と、当該アンテナ６１に接続されたインピーダンス変調回路６０とから構成されており、インピーダンス変調回路６０は、インピーダンス回路６５及び６６から構成されている。また、インピーダンス回路６５は、コンデンサ６５ａと、コンデンサ６５ａに接続されたコイル６５ｂ、コイル６５ｂとアース間に接続されたダイオードスイッチ６５ｃと、コイル６５ｂとダイオードスイッチ６５ｃとの接続部に接続された抵抗６５ｄとから構成されている。また、インピーダンス回路６６は、コンデンサ６６ａと、コンデンサ６６ａに接続されたコイル６６ｂ、コイル６６ｂとアース間に接続されたダイオードスイッチ６６ｃと、コンデンサ６６ｂとダイオードスイッチ６６ｃとの接続部に接続された抵抗６６ｄとから構成されている。
【００３２】
上記のように構成された応答器２０では、ダイオードスイッチ６５ｃをオンするか、ダイオードスイッチ６６ｃをオンするか、ダイオードスイッチ６５ｃ及び６６ｃをオンするかによって、インピーダンス変調回路６０としてのインピーダンスを３段階に変化させることができる。尚、６５ｂ、６６ｂ及び６５ｄ、６６ｄ（場合によっては６５ｃ、６６ｃも）の特性を前述した図４、図６、図１５の説明のように適正に設定することで図１５に示したような多値伝送を実現できる。
【００３３】
次に、図９を参照して、応答器２０の回路の第２の変形例を説明する。図９は、応答器２０の第２の変形例の回路図である。応答器２０は、インピーダンスＺａのアンテナ６１と、当該アンテナ６１に直列に接続されたインピーダンス変調回路６０とから構成されており、インピーダンス変調回路６０は、コンデンサ６７ａと、コンデンサ６７ａに直列に接続されたコイル６７ｂ、コイル６７ｂとアース間に接続されたダイオードスイッチ６７ｃと、コイル６７ｂとダイオードスイッチ６７ｃとの接続部に接続された抵抗６７ｄと抵抗６７ｄに設けられた入力端子ｂ１から構成されている。
【００３４】
上記のように構成された応答器２０では、６７ｄの抵抗値或いは入力電圧波形を３段階以上に変化させる手段を設けることで入力端子ｂ１からダイオードスイッチ６７ｃに流す電流を変化させることにより、インピーダンス変調回路６０のインピーダンスを３段階に変化させることができる。この場合、図１４、図１５とは異なるような変調シンボルの配置による多値化が実現できる。
【００３５】
次に、図１０を参照して、質問器１０の復調回路３０を構成する振幅復調回路３０ａを説明する。図１０は、振幅復調回路３０ａのブロック図である。図１０に示すように、振幅復調回路３０ａは二乗和で振幅のみを復調する。振幅復調回路３０ａは、受信した反射波の位相をπ／２ラジアン遅延させるπ／２遅延回路３１と、受信した反射波をそのまま二乗する二乗回路３２と、π／２遅延回路３１からの出力を二乗する二乗回路３３と、二乗回路３２からの出力と二乗回路３３からの出力とを合成する合成回路３４とから構成されている。
【００３６】
この振幅復調を行う場合には、振幅復調回路３０ａに、ａ（ｄ）ｃｏｓ（ωｔ＋θ）の反射波を入力すると、二乗回路３２からは、ａ２（ｄ）ｃｏｓ２（ωｔ＋θ）の信号が出力され、π／２遅延回路３１からは、ａ（ｄ）ｃｏｓ（ωｔ＋θ＋２／π）、即ち、ａ（ｄ）ｓｉｎ（ωｔ＋θ）が出力され、二乗回路３３からは、ａ２（ｄ）ｓｉｎ２（ωｔ＋θ）の信号が出力さる。従って、合成回路３４からは、ａ２（ｄ）ｃｏｓ２（ωｔ＋θ）＋ａ２（ｄ）ｓｉｎ２（ωｔ＋θ）、即ち、ａ２（ｄ）の振幅が復調される。
【００３７】
次に、図１１を参照して、質問器１０の復調回路３０を構成する位相復調回路３０ｂを説明する。図１１は、位相復調回路３０ｂのブロック図である。図１１に示すように、位相復調回路３０ｂはリミッタ回路３６と、リミッタ回路３６に接続された、位相復調回路３７とから構成されている。リミッタ回路３６は、入力された信号の振幅を一定にするように動作する。又、位相復調回路３０ｂは、同期検波或いは遅延検波により位相変調された信号を復調する回路である。この位相復調回路３０ｂで、位相復調を行う場合には、リミッタ回路３６に、ａ・ｃｏｓ｛ωｔ＋θ（ｄ）｝の反射波を入力すると、位相復調回路３７からは、ｄの信号が出力される。従って、位相変化情報のみを復調することができる。従って、振幅復調と位相復調を組み合わせれば、どのシンボルかの判定ができ復調できる。
【００３８】
次に、図１２を参照して、応答器２０で行う３値変調によるデータのエンコードを利用した誤り検出について説明する。図１２は、３値変調による誤り検出の原理の概念図である。
【００３９】
この誤り検出では、まず、４ビットのデータに２ビット付加して６ビットに変換し、（６，４）符号とする。この場合には、線形符号を用いることができて、情報をｉ、符号語をｘとすると、生成行列Ｇを使って、
ｘ＝ｉＧ
と変換できる。
ここで、Ｇには、例えば、以下の行列を用いることができる。
【数１】
2004140615.tif 000003
【００４０】
この符号では、符号間距離が２であるので、誤りが発生しても誤りを検出することができる。この生成された６ビットの符号語は３値変調では、図１２に示すように４シンボルのデータで表すことができる。なぜならば、２６　＝６４であるが、３４　＝８１　なので、３値変調ならば８１種のデータを送信することができるので、６４種のデータしかない２値の６ビットのデータの送信が出来るからである。尚、この場合に、もともとの４ビットのデータに２ビットのデータを付加し、データの冗長性を持たせているので、誤りの検出が可能となる。次に誤り訂正を行う場合について説明する。４ビットの情報に４ビットを付加して８ビットの符号を形成すれば、符号間距離が４となるので、１ビットの誤りが発生しても訂正することができる。４値の変調ならば、４シンボルで４４　＝２５６なので、８ビットの符号を割り当てることができる。
【００４１】
次に、図１３を参照して、応答器２０で行う３値変調によるデータのエンコードでの通信の容量アップについて説明する。図１３は、応答器２０で行う３値変調によるデータのエンコードを示す概念図である。図１３に示すように、６ビットのデータを４シンボルに割り当てることができるので、従来に比べて、１．５倍の速さで通信を行うことができる。
【００４２】
以上説明したことから明らかなように、アンテナ６１の入力インピーダンスと、アンテナ６１の給電点から負荷側をみたインピーダンスとを合成した合成インピーダンスのリアクタンス成分がスイッチング素子（一例としてのスイッチングダイオード）により３個以上設定可能としたので、図１４に示すように、反射波の電界の位相を３値以上に異ならせることができる。従って、１シンボル当たりのビット数を大きくできるので、通信品質が高いか、或いはより高速なデータ通信が可能となる。
【００４３】
また、アンテナ６１の入力インピーダンスと、アンテナ６１の給電点から負荷側をみたインピーダンスとを合成した合成インピーダンスの抵抗成分とリアクタンス成分の比がほぼ等しくなる値をスイッチング素子（一例としてのスイッチングダイオード）により複数個設定可能としたので、図１５に示すように、反射波の電界の振幅と位相は３値以上に異ならせることができる。従って、高速なデータ通信が可能となる。従って、１シンボル当たりのビット数を大きくできるので、通信品質が高いか、或いはより高速なデータ通信が可能となる。又、本発明は通信の状態に応じた運用が可能で、通信の状態が悪ければエラー訂正に応用し通信品質を改善し、通信の状態が良ければ高速伝送に応用し通信時間を短縮することができるため、効率的な通信を実現できるものである。
【００４４】
【発明の効果】
以上説明したことから明らかなように、請求項１に記載の通信システムの応答器では、主搬送波受信反射手段が質問器から送信された主搬送波を受信し反射し、主搬送波変調手段は、主搬送波受信反射手段が受信した主搬送波を反射する際の反射波を所定の情報信号により変調し、主搬送波変調手段は、反射電界の位相を３値以上に制御することができる。従って、１シンボル当たりのビット数を大きくできるので、伝送容量の増加を図ることが出来、通信速度も速くすることができる。
【００４５】
また、請求項２に記載の通信システムの応答器では、請求項１に記載の発明の効果に加えて、応答器の波受信反射手段は、質問器から送信された主搬送波を受信し反射し、主搬送波変調手段は、主搬送波受信反射手段が受信した主搬送波を反射する際の反射波を所定の情報信号により変調し、主搬送波変調手段は、反射電界の振幅がほぼ等しく、かつ位相を３値以上に制御することができる。従って、１シンボル当たりのビット数を大きくできるので、伝送容量の増加を図ることが出来、通信速度も速くすることができる。
【００４６】
また、請求項３に記載の通信システムの応答器では、前記応答器の主搬送波受信反射手段は、質問器から送信された主搬送波を受信し反射し、主搬送波変調手段は、主搬送波受信反射手段が受信した主搬送波を反射する際の反射波を所定の情報信号により変調し、主搬送波変調手段は、反射電界に複数配置された変調シンボルにおいて、位相がほぼ等しく、振幅が異なる状態を含んでいる。従って、振幅復調をすることにより、多値データを精度良く復調を行うことができる。
【００４７】
また、請求項４に記載の通信システムにおける応答器では、請求項１又は２に記載の発明の効果に加えて、応答器は、アンテナと複数のスイッチング素子を含み、アンテナ入力インピーダンスとアンテナ給電点から負荷側を見たインピーダンスとを合成した合成インピーダンスのリアクタンス成分が、スイッチング素子により３値以上の設定可能である。よって、アンテナ入力インピーダンスを含めた合成インピーダンスをみて位相を変化させれば、設定した通りの位相の変化を得られる。従って、多値設定時の位相角の変化を容易に検出することができる。その結果、簡易な構成でより高い通信品質が得られる。
【００４８】
また、請求項５に記載の通信システムにおける応答器では、請求項３に記載の発明の効果に加えて、応答器は、アンテナと複数のスイッチング素子を含み、アンテナ入力インピーダンスとアンテナ給電点から負荷側を見たインピーダンスとを合成した合成インピーダンスの抵抗成分とリアクタンス成分の比がほぼ等しくなる値をスイッチング素子により複数設定可能である。変調シンボルの配置が単純なので、精度良く復調が出来る。その結果、より高い通信品質が得られる。
【００４９】
また、請求項６に記載の通信システムにおける応答器では、請求項１乃至５の何れかに記載の発明の効果に加えて、所定数のピットが誤り検出または訂正用として割り当てることができ、容易に誤り検出または訂正ができる。
【００５０】
【図面の簡単な説明】
【図１】図１は、通信システム１の構成の一例を示す図である。
【図２】図２は、通信システム１で使用される主搬送波と反射波の関係を示す図である。
【図３】図３は、質問器１０の電気的構成を示すブロック図である。
【図４】図４は、応答器２０のブロック図である。
【図５】図５は、アンテナにダイポールアンテナを用いた時の反射電界の等振幅曲線である。
【図６】図６は、反射電界の等位相曲線をあらわしている。
【図７】図７は、応答器２０の回路図である。
【図８】図８は、応答器２０の第１の変形例の回路図である。
【図９】図９は、応答器２０の第２の変形例の回路図である。
【図１０】図１０は、振幅復調回路３０ａのブロック図である。
【図１１】図１１は、位相復調回路３０ｂのブロック図である。
【図１２】図１２は、３値変調による誤り検出の原理の概念図である。
【図１３】図１３は、応答器２０で行う３値変調によるデータのエンコードを示す概念図である。
【図１４】図１４は、応答器２０からの反射波の位相変化を示すグラフである。
【図１５】図１５は、応答器２０からの反射波の位相変化を示すグラフである。
【符号の説明】
１　通信システム
１０　質問器
２０，２１，２２　応答器
３０　復調回路
４０　アナログ回路部
４１　発振器
４２　変調器
４３　電力増幅器
４５　ＬＮＡ
４６　主搬送波復調器
４７　アンテナ
６１　アンテナ
６０　インピーダンス変調回路
【図１】
2004140615.tif 000004
【図２】
2004140615.tif 000005
【図３】
2004140615.tif 000006
【図４】
2004140615.tif 000007
【図５】
2004140615.tif 000008
【図６】
2004140615.tif 000009
【図７】
2004140615.tif 000010
【図８】
2004140615.tif 000011
【図９】
2004140615.tif 000012
【図１０】
2004140615.tif 000013
【図１１】
2004140615.tif 000014
【図１２】
2004140615.tif 000015
【図１３】
2004140615.tif 000016
【図１４】
2004140615.tif 000017
【図１５】
2004140615.tif 000018